(57)【特許請求の範囲】
【請求項１】
ゴルフボールが位置する人造芝草マット１０の下端部に設けられて前記人造芝草マット１０を支持する胴体２０；
前記人造芝草マット１０の上面においてゴルフボールが置かれる位置からゴルフボールの進行方向に所定距離に形成された凹部１０ａから一部が突出し、演習者がダウンブロースイングを行った場合にだけゴルフクラブヘッドのリーディングエッジ（ｌｅａｄｉｎｇ  ｅｄｇｅ）を介して加わる力の強度に対応して前記人造芝草マット１０の上方に突出する被打撃部４０；及び
前記ゴルフボールが置かれる位置に対して前記被打撃部４０とは反対方向に形成され、前記被打撃部４０の状態をスイング演習前の状態に復元させる復元部５０を含み、
前記被打撃部４０は、
演習者がダウンブロースイングを行った場合にだけゴルフクラブヘッドのリーディングエッジがかかるようになった突出部４１；及び
前記突出部４１の両端にそれぞれ連結され、前記人造芝草マット１０を支持する胴体２０の内部に位置する被打撃部ライン４２ａを含んでなることを特徴とする、ダウンブロースイング演習装置。
【請求項２】
前記被打撃部の突出部４１は円弧状を有することを特徴とする、請求項１に記載のダウンブロースイング演習装置。
【請求項３】
前記突出部４１は被打撃部ライン４２ａを包む被覆材を含むことを特徴とする、請求項１に記載のダウンブロースイング演習装置。
【請求項４】
前記胴体２０は、
前記人造芝草マット１０の下側に配置されたゴム板２１；
前記ゴム板２１の下端部に設けられて人造芝草マット１０及びゴム板２１を支持するゴムバー２２；
前記ゴルフボールが置かれる位置の前方の人造芝草マット１０の下側に設けられ、ゴルフクラブ２００のヘッド２００ａのリーディングエッジ（ｌｅａｄｉｎｇ  ｅｄｇｅ）２００ｂを介して加わる衝撃力の強度に対応して人造芝草マット１０が下がることができるほどの弾性を有し、演習者がダウンブロースイングを行った場合にだけゴルフクラブの衝撃強度によって下がる支持部２３；及び
前記復元部５０を挿入するための連結部２４を含んでなることを特徴とする、請求項１に記載のダウンブロースイング演習装置。
【請求項５】
前記復元部５０は、
連結部２４から伸び、各縦断部が互いに連結された二つのガイドレール５１ａ、５１ｂ；
前記被打撃部４０の突出によってゴルフボールの進行方向に移動し、外部から加わる力によってその反対方向に移動することができ、前記被打撃部４０の被打撃部ライン４２ａと平行に別個の軌跡を形成する復元部ライン４２ｂ；及び
前記二つのガイドレール５１ａ、５１ｂに沿って伸びた被打撃部ライン４２ａ及び復元部ライン４２ｂが内部に挿入された回転ローラー５２を含んでなることを特徴とする、請求項４に記載のダウンブロースイング演習装置。
【発明の詳細な説明】
【技術分野】
【０００１】
本発明はダウンブローゴルフスイング演習装置に関するものである。
【背景技術】
【０００２】
一般的なゴルフスイングの結果は、図１ａに示したように、ａ）ダフショット、ｂ）ダウンブローショット、及びｃ）トッピングショットなどに大別することができる。殆どの初心者ゴルファーは、ａ）ダフショット又はｃ）トッピングショットを行いやすいが、ゴルフボールをもっと遠くかつもっと正確に送るために、上級ゴルファーはｂ）ダウンブローショットのようなスイングを行う。
【０００３】
従来のゴルフスイング演習を補助するための多様なゴルフスイング演習装置が開発されている。
【０００４】
一般的なスイング演習用ゴルフマットはスイングスタンス板に人造芝草を形成したもので、ゴルフクラブのヘッドがぶつかる人造芝草のみで構成されるとか、人造芝草の下に弾性体のゴムパッドを取り付けて衝撃を緩和するようになっている。しかし、このようなスイング演習用ゴルフマットはゴルフボールを打撃する演習のみが可能である。
【０００５】
ゴルフをもっと上手にするための一方法はゴルフクラブの特性をよく用いることである。特に、アイアンクラブの場合には、ゴルフクラブでゴルフボールをダウンブローすることにより、ゴルフボールを遠く送り、所望の方向に進行するようにするゴルフスイングの正確性を期待することができる。
【０００６】
ダウンブロー（ｄｏｗｎ  ｂｌｏｗ）とは、トップオブスイング（ｔｏｐ  ｏｆ  ｓｗｉｎｇ）から打ち下ろしたクラブヘッドの中心が最低点に至る前にゴルフボールを打つことである。これは、クラブヘッドがゴルフボールを打撃した後、ゴルフボールが置かれていた位置直後の位置のマット表面に接触することになるゴルフスイングの一方法である。（図１ａのｂ）
【０００７】
一方、スイングの他の形態は、図１ｂのように、ダウンブロースイング、突いて打つスイング、及び引きずって打つスイングに区分することができる。突いて打つスイングとダウンブロースイングによって芝草にディボットが発生する。このようなディボットがどの地点に形成されるかが重要である。ディボットがボールの位置の前に形成されればダフとなり、後に形成されれば良いスイングとなる。ゴルフを始に行う演習者の場合、概してゴルフクラブの下端部がゴルフボールのすぐ下側の地面と直接接触するため、自分がダウンブロースイングを正確に行ったか否かを認知することができない。
【０００８】
したがって、前記のような問題点を解決するために、大韓民国実用新案登録第２０−０２２２２３５号の“ダウンブロー演習用マット”が開示されている。その構成は、図２及び図３に示したように、電源供給手段を備えた胴体２とゴルフボール６が置かれる位置が表示された人造芝草マット３の間においてダウンブローを成す位置にスイッチング手段５ａ、５ｂが形成され、前記スイッチング手段５ａ、５ｂによって作動する音響発生装置４を設けることで、ダウンブロー時に音響が発生する方式である。
【０００９】
前記ゴルフボール６が人造芝草マット３の一定の位置に置かれた状態で、前記ゴルフボール６が置かれた位置の一側、つまりゴルフクラブ７のスイング進行方向に位置するスイッチング手段５ａ、５ｂをゴルフクラブが押圧する場合にだけ前記音響発生装置４が作動する。したがって、演習者は音響発生装置４から音響が発生する時に自分が所望のダウンブロースイングを行ったことを認識する。
【００１０】
このような演習装置は、前記スイッチング手段の位置にゴルフクラブの強い圧力が伝達される場合、前記スイッチング手段が該当位置から離脱してスイッチングが正常にできなくて誤動作する問題点がある。また、前記音響発生装置４は電源を用いなければならない不便がある。
【発明の概要】
【発明が解決しようとする課題】
【００１１】
本発明はゴルファーがスイング演習の際に正確なスイングが行われたか否かを実時間で確認することができるようにするダウンブロースイング演習装置を提供することを目的とする。
【００１２】
本発明の他の目的は、ゴルフクラブヘッドのリーディングエッジがどの方向にゴルフボールを打撃したかのスイング結果を確認することができるダウンブロースイング演習装置を提供することである。
【００１３】
本発明の他の目的は、ゴルフ場の芝草にディボットが形成されるスイングを駆使するように練習することができるダウンブロースイング演習装置を提供することである。
【課題を解決するための手段】
【００１４】
このような目的を達成するための本発明によるダウンブロースイング演習装置は、ゴルフボールが位置する人造芝草マットの下端部に設けられて前記人造芝草マットを支持する胴体；前記人造芝草マットの上面においてゴルフボールが置かれる位置からゴルフボールの進行方向に所定距離に形成された凹部から一部が突出し、演習者がダウンブロースイングを行った場合にだけゴルフクラブヘッドのリーディングエッジ（ｌｅａｄｉｎｇ  ｅｄｇｅ）を介して加わる力の強度に対応して前記人造芝草マットの上方に突出する被打撃部；及び前記ゴルフボールが置かれる位置に対して前記被打撃部とは反対方向に形成され、前記被打撃部の状態をスイング演習前の状態に復元させる復元部を含んでなるダウンブロースイング練習装置であって、前記被打撃部は、演習者がダウンブロースイングを行った場合にだけゴルフクラブヘッドのリーディングエッジがかかるようになった突出部；及び前記突出部の両端にそれぞれ連結され、前記人造芝草マットを支持する胴体の内部に位置する被打撃部ラインを含んでなることを特徴とする。
【００１５】
ここで、前記被打撃部の突出部は円弧状であってもよい。
【００１６】
また、前記被打撃部はラインを包むゴム又はプラスチック素材のチューブ又はバンド状であってもよい。
【発明の効果】
【００１７】
第一、演習者が所望のダウンブロースイングを練習することができる。
【００１８】
第二、演習者が実時間でゴルフスイングによるゴルフボールの進行方向を認識することができる。
【００１９】
第三、演習者が実時間で自身のスイングを矯正することができる。
【００２０】
第四、傾斜面での演習効果がある。
【図面の簡単な説明】
【００２１】
【図１ａ】ゴルフスイングの多様な形態を示した例示図である。
【図１ｂ】ゴルフスイングの多様な形態を示した例示図である。
【図２】従来技術によるゴルフスイング演習装置の構成を示した例示図である。
【図３】従来技術によるゴルフスイング演習装置の構成を示した断面図である。
【図４】本発明の好適な実施例によるダウンブロースイング演習装置の例示図である。
【図５】本発明の好適な実施例によるダウンブロースイング演習装置の側断面図である。
【図６】本発明の好適な実施例によるダウンブロースイング演習装置の背面図である。
【図７ａ】本発明の好適な実施例によるダウンブロースイング演習装置の復元部をより詳細に示した例示図である。
【図７ｂ】本発明の好適な実施例によるダウンブロースイング演習装置の復元部をより詳細に示した例示図である。
【図８ａ】本発明の好適な実施例によるダウンブロースイング演習装置を用いてダウンブロースイングを行った結果によって被打撃部が突出した状態を示す例示図である。
【図８ｂ】本発明の好適な実施例によるダウンブロースイング演習装置を用いてダウンブロースイングを行った結果によって被打撃部が突出した状態を示す例示図である。
【図８ｃ】方向が誤った結果によって突出部が突出した状態を示す例示図である。
【図８ｄ】方向が誤った結果によって突出部が突出した状態を示す例示図である。
【発明を実施するための形態】
【００２２】
以下、添付図面を参照して本発明によるダウンブロースイング演習装置について詳細に説明する。
【００２３】
まず、本発明の構成を説明する。図４は本発明の演習装置の例示図である。図示のように、上面にゴルフボールが位置する人造芝草マット１０を有する胴体２０；前記人造芝草マット１０の上面においてゴルフボールが置かれる位置“Ａ”からゴルフボール１００の進行方向に所定距離に形成された凹部１０ａからその一部が突出し、演習者が所望のダウンブロースイングを行った場合にだけゴルフクラブ２００のヘッド２００ａのリーディングエッジ（ｌｅａｄｉｎｇ  ｅｄｇｅ）２００ｂを介して加わる力の強度に対応して前記人造芝草マット１０の上方に突出する被打撃部４０；及び前記被打撃部４０の形成位置の反対方向に形成され、前記被打撃部４０の状態をスイング演習前の状態に復元させる復元部５０を含んでなる。
【００２４】
図５は図４の胴体２０と被打撃部４０の構成関係を示す側断面図である。
【００２５】
前記胴体２０は、人造芝草マット１０の下部に配置されたゴム板２１と、前記ゴム板２１の下端部に構成され、人造芝草マット１０及びゴム板２１を支持するゴムバー２２と、前記ゴルフボールが置かれる位置の前方の人造芝草マット１０の下部に形成され、ゴルフクラブ２００のヘッド２００ａのリーディングエッジ（ｌｅａｄｉｎｇ  ｅｄｇｅ）２００ｂを介して加わる衝撃力の強度に対応して人造芝草マット１０が下方に下がることができるほどの弾性を有する支持部２３と、前記復元部５０が連結される連結部２４とを含んでなる。前記支持部２３はゴム（ｒｕｂｂｅｒ）、シリコン、ポリウレタン又はスプリングなどの弾性素材からなり、円形又は四角形などの形態を有することができ、前記支持部２３の形態は多様に変形可能である。前記連結部２４には前記復元部５０のガイドレール（図示せず）が挿入される。
【００２６】
人造芝草マット１０の上面においてゴルフボール１００が置かれる位置からゴルフボール１００の進行方向に所定距離に凹部１０ａが形成されていることが分かる。前記被打撃部４０は人造芝草マット１０の凹部１０ａに形成される。前記被打撃部４０は、人造芝草マット１０の上面に突出した突出部４１と、前記突出部４１の両端にそれぞれ連結され、人造芝草マット１０を支持する胴体２０の内部に位置する被打撃部ライン４２ａとを含んでなる。
【００２７】
前記突出部４１は、図８ｂ〜図８ｄに示したように、被打撃部ライン４２ａが結合されているゴム又はプラスチック素材のチューブ状のものを例示することができる。前記突出部４１はゴルフクラブ２００のヘッド２００ａのリーディングエッジによる力によって左右に往復移動することができる。突出部４１を被打撃部ライン４２ａを包む被覆材の形態に形成する理由は、前記突出部４１がゴルフクラブヘッドによって打撃される部分であるので、方向性をチェックし、かつ使用による損傷時に容易に入れ替えるためである。前記突出部４１はベルクロ（登録商標）テープによって前記ライン４２ａを包むバンド状にすることもできる。
【００２８】
前記被打撃部４０のうち前記人造芝草マット１０の上面から一部が突出する突出部４１は好ましくは円弧状を成すことができる。
【００２９】
所望のダウンブロースイングを練習するためには、演習者のゴルフスイング軌跡の中でダウンブロースイングを具現する場合の軌跡内に、人造芝草マット１０の上面から一部が突出する前記被打撃部４０の突出部４１が位置しなければならない。すなわち、演習者がダウンブロースイングを行えば、ゴルフクラブが接触する部分に形成された弾性体である支持部２３によって人造芝草マット１０が下方に瞬間的に下がり、前記突出部４１が人造芝草マット１０の凹部１０ａの傾斜面から所定角度で突出する。
【００３０】
前記人造芝草マット１０の上面から一部が突出する被打撃部４０の突出部４１が円弧状を現すこの実施例とは違い、両端を有する円弧状ではなくて一本のライン縦断部に形成された係止段の形状を有することもできる。また、前記被打撃部４０の突出部４１に連結されたラインを一つに形成し、その後端に復元部を形成することもできる。
【００３１】
本発明の演習装置の背面図を示す図６に基づいて被打撃部４０の構成をより詳細に説明する。被打撃部４０の突出部４１に連結された被打撃部ライン４２ａが胴体２０の底面と連結部２４を通じて、復元部５０が形成された方向に連結されたものであることが分かる。この時に使われる前記被打撃部４０の被打撃部ライン４２ａと復元部５０の復元部ライン４２ｂは鉄線、プラスチック又はシリコン素材などの多様な素材からなることができる。
【００３２】
図７ａ及び図７ｂは復元部５０をより詳細に示した例示図である。前記復元部５０は、前記胴体２０から伸びて各縦断部が互いに連結された二つのガイドレール５１ａ、５１ｂと回転ローラー５２とを含み、前記被打撃部４０の両下端部から前記二つのガイドレール５１ａ、５１ｂに沿って伸びた被打撃部ライン４２ａが前記回転ローラー５２の内部で連結され、前記突出部４１の突出によってゴルフボールの進行方向に移動し、外部から加わる力によってその反対方向に移動することができ、前記被打撃部４０の被打撃部ライン４２ａと平行に別個の軌跡を形成する復元部ライン４２ｂが回転ローラー５２の内部に挿入されている。
【００３３】
この実施例では二つのガイドレール５１ａ、５１ｂと回転ローラー５２から復元部５０を構成したものを示しているが、前記被打撃部４０がゴルフクラブのリーディングエッジ２００ｂによって打撃される単一突出部で構成された場合であれば、復元部の構成も前記突出部の位置を元の状態に復帰させる構成であればこの実施例と類似した形態にも具現可能である。また、場合によって、前記復元部の構成なしに被打撃部４０が弾性体を内蔵して位置復元機能を有する形態にもすることができる。
【００３４】
演習者が本発明の演習装置を用いて正確なダウンブロースイング演習を行えば、まるでフィールドにディボットが形成される原理と同様に、ゴルフクラブによって人造芝草マット１０の下端の支持部２３が瞬間的に下方に下がる。ゴルフクラブは続けて前進しながら被打撃部４０の突出部４１を凹部１０ａの傾斜面から上方にもっと突出させる。この時、突出部４１に連結された被打撃部ライン４２ａが一緒に前方に移動しながら突出する。したがって、被打撃部ライン４２ａが挿入された回転ローラー５２がガイドレール５１ａ、５１ｂに沿って前方に移動することになる。演習者は、次のスイングを練習するために、前記回転ローラー５２をゴルフクラブ又は自身の足を用いて後方に移動させる。よって、前記被打撃部ライン４２ａに連結された被打撃部４０の突出部４１が人造芝草マット１０の凹部１０ａの表面の下側に再び引っ込んで元の位置に復元する。
【００３５】
図８ａ〜図８ｄは本発明の演習装置を用いてダウンブロースイングを行った結果によって被打撃部が突出した状態を示す例示図である。
【００３６】
図８ａはゴルフ演習者のゴルフクラブヘッド２００ａのリーディングエッジ２００ｂにゴルフボール１００が正確に打たれてから前方に飛ぶ状況を示した例示図である。
【００３７】
図８ｂは図８ａのように所望のダウンブローを行った場合に被打撃部が突出した状態を示したものである。図８ａに示すように、人造芝草マット１０の凹部１０ａから突出部４１のみ突出した状態で、ゴルフクラブヘッド２００ａのリーディングエッジ２００ｂによって加わった力によって人造芝草マット１０の下端の支持部２３が瞬間的に下方に下り、進行するゴルフクラブが突出部４１を人造芝草マット１０の凹部１０ａから一定の距離だけもっと突出させることが分かる。この時、胴体２０の内部に位置する被打撃部ライン４２ａも一緒に人造芝草マット１０の凹部１０ａから同一の長さで突出したことが分かる。
【００３８】
一方、図８ｃ及び図８ｄは突出部４１の一側が他側より大きく突出したことを示している。図８ｃは、ゴルフクラブヘッドのリーディングエッジ２００ｂで突出部４１を打撃する時、クラブヘッドのヒール（ｈｅｅｌ）部分がトー（ｔｏｅ）部分より先に突出部４１を打撃する場合を示したものである。このような結果が発生することは、目標地点にスイングは行ったが、実際にはスライスショット（ｓｌｉｃｅ  ｓｈｏｔ）の形態に行われたことが分かる。仮に、演習者がゴルフ上級者の場合であれば、自身の意思によってフエードショット（ｆａｄｅ  ｓｈｏｔ）を練習する場合である。すなわち、ゴルフ演習者の意志によってｏｕｔ−ｉｎ軌道を維持しながらダウンブロースイングを練習する場合である。
【００３９】
図８ｄはゴルフクラブヘッドのリーディングエッジ２００ｂで突出部４１を打撃する時、クラブヘッドのトー（ｔｏｅ）部分がヒール（ｈｅｅｌ）部分より先に突出部４１を打撃する場合を示したものである。このような結果が発生する理由は、目標地点にスイングは行ったが、実際にはフックショット（ｈｏｏｋ  ｓｈｏｔ）の形態に行われたことが分かる。仮に、演習者がゴルフ上級者の場合であれば、自身の意思によってドローショット（ｄｒａｗ  ｓｈｏｔ）を練習する場合である。すなわち、ゴルフ演習者の意志によってｉｎ−ｏｕｔ軌道の外側にフォロースルー（ｆｏｌｌｏｗ  ｔｈｒｏｕｇｈ）を維持しながらダウンブロースイングを練習する場合である。このように、正確なダウンブロースイング、ドローショット及びフエードショットを練習することができる。
【図１ａ】
0006474497.tif 000002
【図１ｂ】
0006474497.tif 000003
【図２】
0006474497.tif 000004
【図３】
0006474497.tif 000005
【図４】
0006474497.tif 000006
【図５】
0006474497.tif 000007
【図６】
0006474497.tif 000008
【図７ａ】
0006474497.tif 000009
【図７ｂ】
0006474497.tif 000010
【図８ａ】
0006474497.tif 000011
【図８ｂ】
0006474497.tif 000012
【図８ｃ】
0006474497.tif 000013
【図８ｄ】
0006474497.tif 000014